(57)【要約】【課題】  アクチュエータを開閉する回転式のケーブル用コネクタにおいて、コンタクト接点部の接触圧を必要以上に大きくすることなく、アクチュエータの閉位置での保持力を十分に確保し、ケーブル接続時のアクチュエータの不用意な開きを防止する。【解決手段】  前記コンタクト４，５は、第１及び第２接点部４ａ，５ａと第１及び第２枢支部４ｂ，５ｂとを持ち相反する第１及び第２方向Ａ，Ｂからハウジング３に挿入し保持する第１及び第２コンタクト４，５から成り、前記第１及び第２コンタクト４，５の第１及び第２接点部４ａ，５ａはいずれも、前記アクチュエータ６を閉位置方向に回転させるモーメントを該アクチュエータ６に付与するように、該アクチュエータ６の回転軸芯Ｏの一側に片寄せて配置する。【選択図】  図９
2006147157.tif 000002
【特許請求の範囲】
【請求項１】
一面及び反対面を持つケーブルを受けるためのケーブル用コネクタであって、前記一面に対向する接点部と前記反対面に対向する枢支部とを持つコンタクトと、前記コンタクトを予め定められた方向に挿入し保持するハウジングと、前記ケーブルを前記ハウジングに受入れる開位置及び前記ハウジングに受入れた前記ケーブルを前記接点部方向に押圧する閉位置間で回転可能なアクチュエータとを有するケーブル用コネクタにおいて、前記コンタクトは、第１及び第２接点部と第１及び第２枢支部とを持ち相反する第１及び第２方向からハウジングに挿入し保持する第１及び第２コンタクトから成り、前記第１及び第２コンタクトの第１及び第２接点部はいずれも、前記アクチュエータを閉位置方向に回転させるモーメントを該アクチュエータに付与するように、該アクチュエータの回転軸芯の一側に片寄せて配置することを特徴とするケーブル用コネクタ。
【請求項２】
前記アクチュエータが開位置にある時には、前記ハウジングに挿入された前記ケーブルは、前記第１コンタクトの前記第１接点部で前記第１枢支部に押圧されて仮保持されると共に、前記第２コンタクトの前記第２接点部で前記ハウジングの仮保持部に押圧されて仮保持される請求項１に記載のケーブル用コネクタ。
【請求項３】
前記第１コンタクトと前記第２コンタクトは、前記ハウジングの長手方向に向けて交互に所定ピッチで配置すると共に、前記第１接点部と前記第２接点部は、前記ハウジングの入口側と奥側の前後２列の千鳥状に配置されて、入口側の前記第１接点部の高さが奥部側の前記第２接点部の高さより低く設定されており、入口側の前記第１接点部は、前記ケーブル挿入時に前記第１枢支部に押圧可能な高さに設定されており、奥部側の前記第２接点部は、前記ケーブル挿入時に前記ハウジングの仮保持部に押圧可能な高さに設定されている請求項１に記載のケーブル用コネクタ。
【請求項４】
前記アクチュエータの両端面先端部には係合突起が形成されると共に、前記ハウジングには、前記アクチュエータが閉位置に回動した時に前記係合突起を係合させる係合溝が形成されている請求項１に記載のケーブル用コネクタ。
【請求項５】
一面及び反対面を持つケーブルを受けるためのケーブル用コネクタであって、前記一面に対向する接点部と前記反対面に対向する枢支部とを持つコンタクトと、前記コンタクトを予め定められた方向に挿入し保持するハウジングと、前記ケーブルを前記ハウジングに受入れる開位置及び前記ハウジングに受入れた前記ケーブルを前記接点部方向に押圧する閉位置間で回転可能なアクチュエータとを有するケーブル用コネクタにおいて、前記コンタクトは、第１及び第２接点部と第１及び第２枢支部とを持ち相反する第１及び第２方向からハウジングに挿入し保持する第１及び第２コンタクトから成り、前記第１枢支部は、前記ケーブルと反対側となる上方に開いた凹部を有し先端に鉤形のフック部分を持ち、前記アクチュエータには、前記フック部分が下方から嵌り込む鉤形の第１溝部と、その鉤形の第１溝部の端部が閉じられた縦溝部分に隣接して前記凹部に上方から嵌り込む第１カム部とが、形成されており、前記第２枢支部は、前記アクチュエータの回転軸芯方向から見て前記凹部の開口部を閉じるように先端に直線部分を持ち、前記アクチュエータには、前記直線部分が嵌り込む鉤形の第２溝部と、その鉤形の第２溝部の貫通穴である縦溝部分に隣接して形成され前記直線部分と前記ケーブルとの間に位置する第２カム部とが、形成されており、第１及び第２カム部を形成するアクチュエータの基端部を第１及び第２コンタクトの第１及び第２枢支部によって回動可能に包囲・挟持することを特徴とするケーブル用コネクタ。
【発明の詳細な説明】
【技術分野】
【０００１】
本発明は、ケーブル用コネクタに関し、特に、ＦＰＣ（Flexible Printed Circuit）やＦＦＣ（Flexible Flat Cable）等のケーブルを基板に接続するのに適したケーブル用コネクの中で、タアクチュエータを開閉する回転式のケーブル用コネクタに関する。
【背景技術】
【０００２】
この種のケーブル用コネクタは、ＦＰＣやＦＦＣ等の一面及び反対面を持つケーブルを受入れるハウジング（インシュレータ）と、ケーブルの一面に対向する接点部と反対面に対向する枢支部とを持ちハウジングに所定のピッチでそれぞれ固定保持される複数のコンタクトと、ケーブルをハウジングに受入れる開位置及び受入れたケーブルを接点部方向に押圧する閉位置間で回転可能なアクチュエータとを有する（例えば、「特許文献１〜６」）。
【０００３】
また、枢支部の先端部に下方に開いた凹部を有し先端に鉤形のフック部分を形成する一方、アクチュエータの基端部に前記フック部分が上方から嵌り込む溝部とその溝部に隣接して前記凹部に下方から嵌り込み枢支部とケーブルの間に位置させる係合カム部とを形成し、枢支部の先端部を回転中心としてアクチュエータを回転させることは周知である（「特許文献１〜３」参照。）。加えて、ハウジングに挿入されたケーブルの仮保持を開状態のアクチュエータの係合カム部とコンタクトの接点部で行うこと（例えば、「特許文献１」）、２種類の第１及び第２コンタクトをハウジングの長手方向に向けて交互に所定ピッチで配置すると共に、第１コンタクトの第１接点部と第２コンタクトの第２接点部をハウジングの入口側と奥側の前後２列の千鳥状に配置するようなケーブル用コネクタにおいて、第１接触部と第２接触部をアクチュエータの回転軸芯の両側に交互に配置し、第１及び第２接触部によるアクチュエータの回転軸芯の回りにおける回転モーメントの総和がアクチュエータを閉位置方向に回転させるモーメントを付与すること（例えば、「特許文献２」参照。）、千鳥状に配置された第１及び第２接点部のうちハウジングの入口側に配列された入口側接点部の高さを奥部側に配列された奥部側接点部の高さより低くし、ハウジングに挿入されたケーブルの仮保持を奥部側接点部とハウジングの仮保持部で行い、入口側接点部ではケーブルの仮保持を行わないこと（例えば、「特許文献３」参照。）等も周知である。
【０００４】
さらに、アクチュエータの係合カム部に隣接する溝部を貫通穴とし、係合カム部を回転中心としてアクチュエータを回転させることも周知である（例えば、「特許文献４〜６」参照。）。
【特許文献１】特許第３０２３４４２号公報
【特許文献２】特許第３０９６８９１号公報
【特許文献３】特許第３０６９６３４号公報
【特許文献４】特許第３４３０３９８号公報
【特許文献５】特許第３２７８７４２号公報
【特許文献６】特許第３２９５８０８号公報
【発明の開示】
【発明が解決しようとする課題】
【０００５】
従来のケーブル用コネクタでは、第１及び第２接触部の接触圧のうち、一方の接触圧はアクチュエータを閉位置方向に回転させるモーメントとして働くももの、他方の接触圧はアクチュエータを開位置方向に回転させるモーメントとして働くため、アクチュエータを閉位置方向に回転させるモーメントが小さく、アクチュエータの閉位置での保持力を十分に確保し得ず、ケーブル接続時にアクチュエータが不用意に開く虞があった。これを防止するためには、アクチュエータを閉位置方向に回転させるモーメントとして働く接触圧を、アクチュエータを開位置方向に回転させるモーメントとして働く接触圧よりも極めて大きくする必要があるが、この場合、過大な接点圧によりハウジングへのＦＰＣやＦＦＣ等のケーブルの挿入が行えなくなる。
【０００６】
従来のケーブル用コネクタでは、アクチュエータの係合カム部をコンタクトの枢支部とケーブルとの間に位置させ、アクチュエータを閉じた時に係合カム部でケーブルを接点部方向に押圧するために、アクチュエータの係合カム部を含む基端部は枢支部の先端に回転可能に係合されているだけで嵌合はできず、アクチュエータが外れ易いという欠点があった。この欠点を解決すべくアクチュエータの左右両端から突出形成する枢支軸をハウジングの左右両端に形成する軸受部に嵌合するだけの場合には、アクチュエータを閉じた時にこれが撓み変形するためにケーブルを各コンタクトの接点部に均等な力で押圧できず、接触信頼性を確保できない。また、アクチュエータをこの基端部を貫通する軸で回転可能に支持した場合には、アクチュエータを閉じた時の撓み変形は防止されるもののコネクタの部品点数及び組立工数が増加しコストアップを招く。
【０００７】
本発明は上記のような実情に鑑みてなされたもので、その第１の目的は、アクチュエータを開閉する回転式のケーブル用コネクタにおいて、コンタクトの接点部の接触圧を必要以上に大きくすることなく、アクチュエータの閉位置での保持力を十分に確保し、ケーブル接続時のアクチュエータの不用意な開きを防止することにある。
【０００８】
第２の目的は、アクチュエータを開閉する回転式のケーブル用コネクタにおいて、アクチュエータの基端部をコンタクトの枢支部によって回転可能に嵌合支持することで、接触信頼性が確保できなくなることやコストアップを招く等の他の問題を発生することなく、アクチュエータが外れ易いという従来のケーブル用コネクタの欠点を解消し、またその際に、コネクタの組立て、特に、アクチュエータの取付けが困難にならないようにする。
【課題を解決するための手段】
【０００９】
上記の目的を達成するために本発明は、
（ａ）一面及び反対面を持つケーブルを受けるためのケーブル用コネクタであって、前記一面に対向する接点部と前記反対面に対向する枢支部とを持つコンタクトと、前記コンタクトを予め定められた方向に挿入し保持するハウジングと、前記ケーブルを前記ハウジングに受入れる開位置及び前記ハウジングに受入れた前記ケーブルを前記接点部方向に押圧する閉位置間で回転可能なアクチュエータとを有するケーブル用コネクタにおいて、
（ｂ）前記コンタクトは、第１及び第２接点部と第１及び第２枢支部とを持ち相反する第１及び第２方向からハウジングに挿入し保持する第１及び第２コンタクトから成り、
（ｃ）前記第１及び第２コンタクトの第１及び第２接点部はいずれも、前記アクチュエータを閉位置方向に回転させるモーメントを該アクチュエータに付与するように、該アクチュエータの回転軸芯の一側に片寄せて配置することを特徴とする。
【００１０】
本発明によれば、アクチュエータにはこれを閉位置方向に回転させるモーメントのみが付与されるので、従来のケーブル用コネクタに比べてアクチュエータをより大きいモーメントで閉保持できる。しかも、第１及び第２接点部による接触圧は大きくしなくてもそのままで、従来のケーブル用コネクタに比べてアクチュエータをより大きいモーメントで閉保持できる。
【００１１】
本発明では、（ｄ）前記アクチュエータが開位置にある時には、前記ハウジングに挿入された前記ケーブルは、前記第１コンタクトの前記第１接点部で前記第１枢支部に押圧されて仮保持されると共に、
（ｅ）前記第２コンタクトの前記第２接点部で前記ハウジングの仮保持部に押圧されて仮保持されることが好ましい（請求項２）。
このように、第１及び第２接点部はいずれも、アクチュエータとの間ではケーブルの仮保持を行わないことで、従来のケーブル用コネクタに比べてアクチュエータの開閉操作力を小さくでき、操作性の向上を図ることができるので有効である。
【００１２】
また、（ｆ）前記第１コンタクトと前記第２コンタクトは、前記ハウジングの長手方向に向けて交互に所定ピッチで配置すると共に、
（ｇ）前記第１接点部と前記第２接点部は、前記ハウジングの入口側と奥側の前後２列の千鳥状に配置されて、
（ｈ）入口側の前記第１接点部の高さが奥部側の前記第２接点部の高さより低く設定されており、
（ｉ）入口側の前記第１接点部は、前記ケーブル挿入時に前記第１枢支部に押圧可能な高さに設定されており、
（ｊ）奥部側の前記第２接点部は、前記ケーブル挿入時に前記ハウジングの仮保持部に押圧可能な高さに設定されていることが好ましい（請求項３）。
このように、第１及び第２接点部はいずれも、アクチュエータとの間ではケーブルの仮保持を行わないことで、従来のケーブル用コネクタに比べてアクチュエータの開閉操作力を小さくでき、操作性の向上を図ることができるので有効である。また、奥部側の前記第２接点部とハウジングの仮保持部との間にケーブルの末端を挿入する前に、入口側の前記第１接点部と第１枢支部でケーブルの末端近傍を仮保持することで、奥部側の前記第２接点部とハウジングの仮保持部との間にケーブルの末端を適正に挿入できるようになるので有効である。
【００１３】
さらに、（ｋ）前記アクチュエータの両端面先端部には係合突起が形成されると共に、
（ｌ）前記ハウジングには、前記アクチュエータが閉位置に回動した時に前記係合突起を係合させる係合溝が形成されていることが好ましい（請求項４）。
このように、アクチュエータの閉位置でのロック手段を設けることで、従来のケーブル用コネクタに比べてアクチュエータを確実に閉保持できるので有効である。
【００１４】
上記の目的を達成するために本発明は、
（ｍ）一面及び反対面を持つケーブルを受けるためのケーブル用コネクタであって、前記一面に対向する接点部と前記反対面に対向する枢支部とを持つコンタクトと、前記コンタクトを予め定められた方向に挿入し保持するハウジングと、前記ケーブルを前記ハウジングに受入れる開位置及び前記ハウジングに受入れた前記ケーブルを前記接点部方向に押圧する閉位置間で回転可能なアクチュエータとを有するケーブル用コネクタにおいて、
（ｎ）前記コンタクトは、第１及び第２接点部と第１及び第２枢支部とを持ち相反する第１及び第２方向からハウジングに挿入し保持する第１及び第２コンタクトから成り、
（ｏ）前記第１枢支部は、前記ケーブルと反対側となる上方に開いた凹部を有し先端に鉤形のフック部分を持ち、
（ｐ）前記アクチュエータには、前記フック部分が下方から嵌り込む鉤形の第１溝部と、その鉤形の第１溝部の端部が閉じられた縦溝部分に隣接して前記凹部に上方から嵌り込む第１カム部とが、形成されており、
（ｑ）前記第２枢支部は、前記アクチュエータの回転軸芯方向から見て前記凹部の開口部を閉じるように先端に直線部分を持ち、
（ｒ）前記アクチュエータには、前記直線部分が嵌り込む鉤形の第２溝部と、その鉤形の第２溝部の貫通穴である縦溝部分に隣接して形成され前記直線部分と前記ケーブルとの間に位置する第２カム部とが、形成されており、
（ｓ）第１及び第２カム部を形成するアクチュエータの基端部を第１及び第２コンタクトの第１及び第２枢支部によって回動可能に包囲・挟持することを特徴とする（請求項５）。
【００１５】
本発明によれば、第１及び第２カム部を形成するアクチュエータの基端部を第１及び第２コンタクトの第１及び第２枢支部によって回動可能に包囲・挟持する。換言すれば、アクチュエータの基端部をコンタクトの枢支部によって回転可能に嵌合支持する。このため、接触信頼性が確保できなくなることやコストアップを招く等の他の問題を発生することなく、アクチュエータが外れ易いという従来のケーブル用コネクタの欠点を解消することができる。
【００１６】
また、コネクタの組立ては、先ず、第１コンタクトを第１の方向からハウジングに挿入し保持した後、第１枢支部にアクチュエータの基端部を上方から被せる。これにより、第１枢支部の凹部にアクチュエータの第１カム部が嵌り込み、同時にアクチュエータの第１溝部に第１枢支部のフック部分が嵌り込む。次いで、第２コンタクトを第２の方向からハウジングに挿入し保持する。これにより、第２枢支部の直線部分がアクチュエータの第２溝部に嵌り込み、第２カム部の上側に位置する。以上でアクチュエータの基端部をコンタクトの枢支部によって回転可能に嵌合支持するコネクタの組立てが完了する。このように、コネクタの組立て、特に、アクチュエータの取付けが困難にならない。
【００１７】
さらに、従来のケーブル用コネクタでは、コンタクトの枢支部をコネクタの使用時（ケーブル接続時）以上に組立時に弾性変位させてしまい、コンタクトを破損したり枢支部の弾性を低下させ、ケーブルと接点部との接触圧を適正に得られない不良品を発生させる虞があったが、本発明では、コネクタ組立時にコンタクトの枢支部に弾性変位を伴わないため、コンタクトの破損や枢支部の弾性低下による不良品を発生を防止できる。
【発明の効果】
【００１８】
以上から明らかなように本発明によれば、アクチュエータを開閉する回転式のケーブル用コネクタにおいて、コンタクトの接点部の接触圧を必要以上に大きくすることなく、アクチュエータの閉位置での保持力を十分に確保し、ケーブル接続時のアクチュエータの不用意な開きを防止することができるという利点を有する。
【００１９】
また、本発明によれば、アクチュエータを開閉する回転式のケーブル用コネクタにおいて、アクチュエータの基端部をコンタクトの枢支部によって回転可能に嵌合支持することができ、接触信頼性が確保できなくなることやコストアップを招く等の他の問題を発生することなく、アクチュエータが外れ易いという従来のケーブル用コネクタの欠点を解消でき、またその際に、コネクタの組立て、特に、アクチュエータの取付けが困難にならないという利点を有する。
【発明を実施するための最良の形態】
【００２０】
以下、本発明によるケーブル用コネクタの実施の形態を、図１〜図９を参照して説明する。
【００２１】
ケーブル用コネクタ１は、ＦＰＣやＦＦＣ等の一面及び反対面を持つケーブル２を受入れるインシュレータである絶縁性のハウジング３と、ケーブル２の一面に対向する接点部４ａ，５ａと反対面に対向する枢支部４ｂ，５ｂを持ち、ハウジング３の内部に所定の等ピッチで左右方向（長手方向）に一列に並べられ、かつ、固定保持された多数の導電性のコンタクト４，５と、ケーブル２をハウジング３に受入れる図４，図６，図８に示した開位置及びハウジング３に受入れたケーブル２を接点部４ａ，５ａ方向に押圧する図１，図５，図７，図９に示した閉位置間で回転可能な回転式の操作子である絶縁性のアクチュエータ６とを含んで構成される。
【００２２】
ハウジング３は合成樹脂等の絶縁材料から成り、ケーブル２を前方、図４〜図９において左側方から受入れるための袋状のケーブル受入部３ａを上下略中間部に形成する。ケーブル２はハウジング３の前方からケーブル受入部３ａに挿入される。そのケーブル２の挿入端部の一面、図１，図４〜図９において下面には、所定の等ピッチで図示しない多数の導体が前後２列の千鳥状に露出する。また、ケーブル２の挿入端部の反対面、図１，図４〜図９において上面には、絶縁性の補強板７を備える。本明細書においては、便宜上、この補強板７も含めてケーブル２と呼ぶ。
【００２３】
また、ハウジング３の上壁の入口側（前側）略半分は取り除かれ、アクチュエータ６を収容する上方開口部３ｂに形成される。この上方開口部３ｂによりケーブル受入部３ａはその入口側略半分がハウジング３の上方に開放された状態になる。
【００２４】
ハウジング３の上方開口部３ｂの両端部には軸受部３ｃとロック片３ｄを前後に隣接して形成する。ロック片３ｄは軸受部３ｃより入口側（前側）にてハウジング３の左右方向（長手方向）に弾性変位可能にハウジング３に一体形成された突片から成る。左右のロック片３ｄはハウジング３の左右方向で対向し、その対向する内面にはそれぞれ係合溝３ｅが形成される。このロック片３ｄと上方開口部３ｂの両端奥壁との間が上方を開放した軸受部３ｃになり、左右の軸受部３ｃもハウジング３の左右方向で対向する。
【００２５】
アクチュエータ６はハウジング３の上方開口部３ｂに収容可能な左右に長い板状の部材であり、このアクチュエータ６も合成樹脂等の絶縁材料から成る。アクチュエータ６の左右両端面の基端部には枢支軸６ａが同一軸心Ｏ上でそれぞれ突出形成され、また、アクチュエータ６の左右両端面の先端部には枢支軸６ａに隣接してロック用の係合突起６ｂがそれぞれ形成される。ハウジング３の上方よりアクチュエータ６の左右の枢支軸６ａをハウジング３の左右の軸受部３ｃに嵌め込み、ハウジング３の上方開口部３ｂにアクチュエータ６を開閉（回転）自在に取付ける。アクチュエータ６は、図５，図７，図９に示した閉位置から図４，図６，図８に示した開位置まで回動する。本実施の形態ではアクチュエータ６は閉位置から図４〜図９において時計方向に９０度を越えて約１２０度も開くようにしてある。アクチュエータ６は、閉位置にある時には略水平姿勢となりハウジング３の上方開口部３ｂに収容されてケーブル受入部３ａの入口側略半分をハウジング３の上方に開放している上方開口部３ｂを閉じ、ケーブル２を接点部４ａ，５ａ方向、図４〜図９において下方に押圧する。また、この閉位置ではアクチュエータ６はロック片３ｄの弾性変位を伴ってその係合溝３ｅに係合突起６ｂを係合しており、閉位置でハウジング３にロックされる。つまり、アクチュエータ６が閉保持される。他方、閉位置にある時にはハウジング３の上方開口部３ｂから後傾の起立姿勢で立ち上がり、ケーブル受入部３ａの入口側略半分をハウジング３の上方に開放し、ハウジング３のケーブル受入部３ａにケーブル２が挿入可能（受入れ可能）になる。
【００２６】
コンタクトは、第１コンタクト４と第２コンタクト５の２種類を備え、これら第１コンタクト４と第２コンタクト５がハウジング３の長手方向に沿って交互に配列される。第１コンタクト４及び第２コンタクト５はそれぞれ薄板金属を打抜き加工して形成する。第１コンタクト４と第２コンタクト５はそれぞれ相反する２方向からハウジング３に挿入され、固定保持される。詳しくは、ハウジング３には、第１コンタクト４を１本ずつハウジング３の前方（入口側）から後方（奥側）、図４において左から右方向の第１の方向Ａに挿入・植設するための多数の第１の穴３ｆと、第２コンタクト５を１本ずつハウジング３の後方（奥側）から前方（入口側）、図６において右から左方向の第２の方向Ｂに挿入・植設するための多数の第２の穴３ｇとを、交互に、第１コンタクト４及び第２コンタクト５の配列ピッチに対応した所定の等ピッチでハウジング３の左右方向（長手方向）に配置・形成され、第１の穴３ｆと第２の穴３ｇを介して第１コンタクト４と第２コンタクト５を交互に、ハウジング３の内部に所定の等ピッチで左右方向（長手方向）に一列に並べて固定保持する。
【００２７】
第１コンタクト４は、上述したようにケーブル２の一面（下面）に対向する第１接点部４ａと反対面（上面）に対向する第１枢支部４ｂを持つ。詳しくは、第１コンタクト４は、図４，図５，図８，図９に示す如く、ハウジング３のケーブル受入部３ａより奥側で上下壁の間に嵌合される基部４ｃと、基部４ｃの下端からハウジング３の下壁に沿って入口側前面まで延出され、ケーブル受入部３ａの下側に配設される下部分肢４ｄと、基部４ｃの上端からハウジング３の上壁に沿って上部開口部３ｂまで延出され、ケーブル受入部３ａの上側に配設される上部分肢４ｅと、基部４ｃの上下中間部からハウジング３の入口側に向かって延出され、ケーブル受入部３ａの下側に配設される上下方向に弾性変位可能な接点アーム４ｆとを一体に形成する。また、下分肢４ｄと上分肢４ｅは接点アーム４ｆを挟み、かつ、接点アーム４ｆとの間にそれぞれ間隔をあけて上下方向で対向する。そして、接点アーム４ｆの先端（自由端）は上方開口部３ｂの下側に延出し、その接点アーム４ｆの先端上部に山形の第１接点部４ａが形成されると共に、上分肢４ｅの先端から第１枢支部４ｂが上下方向に弾性変位可能に延長形成されて上部開口部３ｂに突出する。第１接点部４ａと第１枢支部４ｂもまた間隔をあけて対向する。接点アーム４ｆが自由状態の時には、第１接点部４ａはカード受入部３ａに下方から突出し、接点アーム４ｆと上分肢４ｅの間隔はケーブル２の厚さ寸法より大きく、かつ、第１接点部４ａと第１枢支部４ｂの間隔はケーブル２の厚さ寸法より小さくなるように設定され、アクチュエータ６が開位置にある時にケーブル２を第１接点部４ａと第１枢支部４ｂで仮保持するように構成する。さらに、第１枢支部４ｂにはケーブル２と反対側となる上方に開いた凹部４ｇを有し先端に鉤形のフック部分４ｈを持つ。また、第１コンタクト４にはこれをハウジング３の第１の穴３ｆに挿入・植設する時の上下ストッパー４ｉ，４ｊを一体に形成する。上ストッパー４ｉは上分肢４ｅの先端部上縁から上向きに突出形成され、ハウジング３の上壁の前端に係合し、第１コンタクト４のハウジング３に対する最大挿入量を規制する。他方、下ストッパー４ｊは下分肢４ｄの先端部下縁から下向きに突出形成され、ハウジング３の下壁の前端に係合し、上ストッパー４ｉと同時に第１コンタクト４のハウジング３に対する最大挿入量を規制する。また、この下ストッパー４ｊは、コネクタ１の下面に突出させる表面実装用の半田付け部を兼ねており、この半田付け部４ｊは下部分肢４ｄの先端部から下方に向けて突出する。
【００２８】
第２コンタクト５は、上述したようにケーブル２の一面（上面）に対向する第２接点部５ａと反対面（上面）に対向する第１枢支部５ｂを持つ。詳しくは、第２コンタクト５は、図６〜図９に示す如く、ハウジング３のケーブル受入部３ａより奥側で上下壁の間に嵌合される基部５ｃと、基部５ｃの下端からハウジング３の下壁に沿って入口側前面まで延出され、ケーブル受入部３ａの下側に配設される下部分肢５ｄと、基部５ｃの上端からハウジング３の上壁に沿って上部開口部３ｂまで延出され、ケーブル受入部３ａの上側に配設される上部分肢５ｅと、下部分肢５ｄの先端で折り返されてハウジング３の奥側に後上がり傾斜状に延出される上下方向に弾性変位可能な接点アーム５ｆとを一体に形成する。また、下分肢５ｄと上分肢５ｅは接点アーム５ｆを挟み、かつ、接点アーム５ｆとの間にそれぞれ間隔をあけて上下方向で対向する。そして、接点アーム５ｆの先端部（自由部）はケーブル受入部３ａに下側から突出し、その接点アーム５ｆの先端上部に山形の第２接点部５ａが形成されると共に、上分肢５ｅの先端から第１枢支部５ｂが上下方向に弾性変位可能に直線状に延長形成されて上部開口部３ｂに突出する。ここで、ハウジング３には第２の穴３ｇ内で、上分肢５ｅを上壁との間に挟み、かつ、カード受入部３ａの奥側略半分の天面を形成するような仮保持部部３ｈが一体に形成される。接点アーム５ｆが自由状態の時には、その接点アーム５ｆの傾斜によって基端部がカード受入部３ａの下方に位置し先端部がカード受入部３ａに下方から突出し、第２接点部５ａを仮保持部部３ｈに対して下方から可及的に接近、又は軽く接触させるように設定され、アクチュエータ６が開位置にある時にケーブル２を第１接点部５ａとハウジング３の仮保持部３ｈで仮保持するように構成する。さらに、図８，図９にも示す如く、第２枢支部５ｂはアクチュエータ３の回転軸芯Ｏ方向に見て第１枢支部４ｂの凹部４ｇの開口部を閉じるように先端に直線部分５ｇを持つ。また、第１コンタクト５にはこれをハウジング３の第２の穴３ｇに挿入・植設する時のストッパー５ｈを一体に形成する。ストッパー５ｈは基部５ｃの下縁から下向きに突出形成され、ハウジング３の下壁の後端に係合し、第２コンタクト５のハウジング３に対する最大挿入量を規制する。また、このストッパー５ｈは、コネクタ１の下面に突出させる表面実装用の半田付け部を兼ねており、この半田付け部５ｈは基部５ｃの下縁から下方に向けて突出する。
【００２９】
図８，図９に示す如く、ハウジング３の上方開口部３ｂに突出する第１枢支部４ｂと第２枢支部５ｂは、アクチュエータ６の回転軸芯Ｏ方向に見て、アクチュエータ６の左右の枢支軸６ａの間の基端部を回転自在に嵌合支持するための軸受穴８を、上方開口部３ｂの両端の左右の軸受部３ｃの間に形成する。すなわち、図４〜図７にも示す如く、アクチュエータ６の基端部には、第１枢支部４ｂのフック部分４ｈが下方から嵌り込む鉤形の第１溝部６ｃが形成される。この第１溝部６ｃはアクチュエータ６の内面に沿う横溝部分の端部のみがアクチュエータ６の基端側面に開放され、アクチュエータ６の厚み方向の縦溝部分の端部はアクチュエータ６の外面には貫通せず閉じられる。アクチュエータ６の基端部にはまた、鉤形の第１溝部６ｃの端部が閉じたれた縦溝部分に隣接してその基端側に第１枢支部４ｂの凹部４ｇに上方から嵌り込む第１カム部６ｄが形成される。この第１カム部６ｄには、アクチュエータ６が開位置にある時に第１枢支部４ｂの凹部４ｇ底面に上方から当接し、アクチュエータ６を開位置に保持するスタンド用第１カム面６ｅと、アクチュエータ６が閉位置にある時に第１枢支部４ｂの凹部４ｇ底面と間隔をあけて対向する回転案内用カム面６ｆとを連続して形成し、第１カム部６ｄを第１溝部６ｃを介して第１枢支部４ｂに回転可能に上載支持する。
【００３０】
さらに、アクチュエータ６の基端部には、第２枢支部５ｂの直線部分５ｇがハウジング３の奥側から嵌り込む鉤形の第２溝部６ｇが形成される。この第２溝部６ｇはアクチュエータ６の外面に沿う横溝部分の端部がアクチュエータ６の基端側面に開放され、アクチュエータ６の厚さ方向の縦溝部分はアクチュエータ６の内外面に貫通する貫通穴である。アクチュエータ６の基端部にはまた、鉤形の第２溝部６ｇの貫通穴である縦溝部分に隣接してその基端側に形成され、第２枢支部５ｂの直線部分５ｇとケーブル２との間に位置する第２カム部６ｈが形成される。この第２カム部６ｈには、アクチュエータ６が開位置にある時に第２枢支部５ｂの直線部分５ｇの下縁に下方から当接し、アクチュエータ６を開位置に保持するスタンド用第２カム面６ｉと、アクチュエータ６が閉位置にある時に第２枢支部５ｂの直線部分５ｇの下縁に下方から当接し、アクチュエータ６を閉位置に保持する閉保持用カム面６ｊとをアイドルカム面６ｋを介して連続して形成し、第２カム部６ｈを第２溝部６ｇを介して第２枢支部５ｂに回転可能に下方から接触させる。また、第２枢支部５ｂの直線部分５ｇとケーブル２との間に位置する第２カム部６ｈは、アクチュエータ６が閉位置にある時にケーブル２との間に隙間をあけて上下方向で対向し、ケーブル２に対して非接触状態に保持するように形成する。さらに、アクチュエータ６が閉位置にある時にケーブル２と対向するアクチュエータ６の内面基端部には、ケーブル２を下方に押圧するケーブル押圧部６ｎが形成される。このケーブル押圧部６ｎはアクチュエータ６の内面における各第１溝部６ｃの間の第２溝部６ｇの開口縁部にそれぞれ突出形成され、アクチュエータ６が閉位置にある時にケーブル２に対向する第２カム部６ｈの内端面にケーブル押圧部６ｎを連続形成する。
【００３１】
そして、アクチュエータ６の左右の枢支軸６ａの間の基端部は第１溝部６ｃ及び第１カム部６ｄと第２溝部６ｇ及び第２カム部６ｈがアクチュエータ６の長手方向に沿って交互に配置・形成されて構成され、このように構成されたアクチュエータ６の左右の枢支軸６ａの間の基端部が、ハウジング３の上方開口部３ｂに突出する第１枢支部４ｂと第２枢支部５ｂによりアクチュエータ６の回転軸芯Ｏ方向に見て包囲・挟持され、つまり、ハウジング３の上方開口部３ｂに突出する第１枢支部４ｂと第２枢支部５ｂにより形成された軸受穴８により回転自在に嵌合支持することができる。
【００３２】
アクチュエータ６の内面先端部にはアクチュエータ６を開操作する際に指先を引っ掛けるための窪み部６ｍを形成する。
【００３３】
ところで、ハウジング３の長手方向に沿って交互に配列された第１コンタクト４と第２コンタクト５の第１接点部４ａと第２接点部５ａに位置関係についてさらに説明すると、第１接点部４ａと第２接点５ａは、ケーブル２の挿入端部の一面（下面）に所定の等ピッチで前後２列の千鳥状に露出する導体と接触可能に、ハウジング３の入口側と奥側の前後２列に千鳥状に配置される。また、入口側の第１接点部４ａの高さが奥部側の第２接点部５ａの高さより低く設定されており、入口側の第１接点部４ａはケーブル挿入時にケーブル２を第１枢支部４ｂに押圧可能な高さに設定され、奥部側の第２接点部５ａはケーブル挿入時にケーブル２をハウジング３の仮保持部３ｈに押圧可能な高さに設定される。第１接点部４ａと第２接点部５ａはさらにいずれもアクチュエータ６の回転軸芯Ｏよりもハウジング３の一側（奥部側）に片寄せて配置し、接点アーム４ｆ，５ｆの弾性復帰力、つまり第１接点部４ａと第２接点部５ａのケーブル２の導体に対する接触圧をアクチュエータ６を閉位置方向に回転させるモーメントとして該アクチュエータ６に付与するように構成する。
【００３４】
次に、上記のように構成されたコンタクト１の組立て方法について説明する。
【００３５】
先ず、第１コンタクト４を第１の方向Ａからハウジング３の各第１の穴３ｆに１本ずつ挿入・植設し、ハウジング３の内部に固定保持した後、ハウジング３の上方開口部３ｂに突出する第１枢支部４ｂにアクチュエータ６の基端部を上方から被せるようにして、ハウジング３の上方よりアクチュエータ３をハウジング３の上方開口部３ｂに嵌め込み、閉状態で収容する。これにより、アクチュエータ６の左右の枢支軸６ａがハウジング３の左右の軸受部３ｃに上方から嵌り込むと共に、第１枢支部４ｂの凹部４ｇにアクチュエータ６の第１カム部６ｄが上方から嵌り込み、同時にアクチュエータ６の第１溝部６ｃに第１枢支部４ｂのフック部分４ｈは下方から嵌り込む。次いで、第２コンタクト５を第２の方向Ｂからハウジング３の各第２の穴３ｇに１本ずつ挿入・植設し、ハウジング３の内部に固定保持する。これにより、第１コンタクト４と第２コンタクト５がハウジング３の長手方向に沿って交互に配列される。この時に、第２コンタクト５の挿入に伴って第２枢支部５ｂの直線部分５ｇがアクチュエータ６の第２溝部６ｇに嵌り込み、第２カム部６ｈの上側に乗り上がって位置する。以上でアクチュエータ６の基端部を第１及び第２コンタクト４，５の第１及び第２枢支部４ｂ，５ｂにより形成された軸受穴８に回転可能に嵌合支持するコネクタ１の組立てが完了し、図１，図４〜９に示すコネクタ１を得ることができる。
【００３６】
次に、上記のように構成されたコンタクト１の使用方法について説明する。
【００３７】
コンタクト１は基板に表面実装されることで、第１コンタクト４の半田付け部４ｊ及び第２コンタクト５の半田付け部５ｈが基板の導体と半田付けされて電気的に接続された状態で基板に固定される。そして、コネクタ１にケーブル２を接続するには、先ず、図１，図４，図６に示す如く、コネクタ１の前方にケーブル２を位置させた状態において、閉位置にあるアクチュエータ６を上方向に回動させて閉位置にて起立させ、図４，図６，図８に示す如く、ハウジング３のケーブル受入部３ａがケーブ２を受入れ可能な状態にする。この状態からケーブル２の末端をケーブル受入部３ａに挿入する。ケーブル受入部３ａに挿入されたケーブル２は先ず、第２コンタクト５の接点アーム５ｆの基端部とアクチュエータ６の第２カム部６ｈとの間並びに第１コンタクト４の第１接点部４ａと第１枢支部４ｂとの間を略同時に通過する。この時、第２コンタクト５の接点アーム５ｆの基端部とアクチュエータ６の第２カム部６ｈとの間ではこの間隔がケーブル２の厚さ寸法より大きいために、ケーブル２は厚さ方向の押圧をうけることなく、つまり、仮保持されることなく第２コンタクト５の接点アーム５ｆの基端部とアクチュエータ６の第２カム部６ｈとの間を通過するが、第１コンタクト４の第１接点部４ａと第１枢支部４ｂとの間ではこの間隔がケーブル２の厚さ寸法より小さいために、ケーブル２は第１接点部４ａ及び接点アーム４ｆの下向きの弾性変位を伴って通過するようになる。これにより、ケーブル２が第１接点部４ａにより第１枢支部４ｂに押圧され、第１接点部４ａと第１枢支部４ｂの間で仮保持される。ケーブル２は次いで、第２コンタクト５の第２接点部５ａとハウジング３の仮保持部３ｈの間を通過する。この時、第２コンタクト５の第２接点部５ａとハウジング３の仮保持部３ｈとの間にはこの間隔がケーブル２の厚さ寸法より小さく、かつ、隙間が無いために、ケーブル２は第２接点部５ａ及び接点アーム５ｆの下向きの弾性変位を伴って通過するようになる。これにより、ケーブル２が第２接点部５ａによりハウジング３の仮保持部３ｈに押圧され、第２接点部５ａとハウジング３の仮保持部３ｈの間で仮保持される。そして、ケーブル２は第２コンタクト５の第２接点部５ａとハウジング３の仮保持部３ｈの間を通過した後、末端がケーブル受入部３ａの最奥部に至り、第１接点部４ａと第１枢支部４ｂの間並びに第２接点部５ａとハウジング３の仮保持部３ｈの間の２箇所で仮保持された状態でハウジング３のケーブル受入部３ａに受入れられる。
【００３８】
上記ケーブル受入れ状態で、アクチュエータ６を図４〜図９において反時計方向に、左右両端部の枢支軸６ａ及びこの間の第１カム部６ｄ，第２カム部６ｈを含むアクチュエータ６の基端部を回転中心として回動させ、図１，図５，図７，図９に示す如く、ハウジング３の上方開口部３ｂに収容される開位置にて略水平姿勢に寝かせ、ケーブル受入部３ａの入口側略半分をハウジング３の上方に開放している上方開口部３ｂを閉じる。これにより、アクチュエータ６の内面のケーブル押圧部６ｎ、つまり第２枢支部５ｂの直線部分５ｇにより下方に付勢される第２カム部６ｈの内端面にでケーブル２を下方に押圧する。これにより、第１コンタクト４の第１接触部４ａが接触アーム４ｆの更なる下向きの弾性変位を伴って下方に移動し、ケーブル２の導体は第１接触部４ａと所定の接触圧力で圧接され電気的な接続が得られ、また、第２コンタクト５の第２接触部５ａとはケーブル受入れ状態で所定の接触圧力で圧接され電気的な接続が得られており、ケーブル接続状態になる。このケーブル接続状態は、アクチュエータ６の係合突起６ｂとハウジング３のロック片３ｄに有する係合溝３ｅとの係合によるアクチュエータ６の閉保持（閉位置でのロック）により維持される。
【００３９】
以上から明らかなように、ケーブル用コネクタ１は、一面及び反対面を持つケーブル２を受けるためのケーブル用コネクタであって、前記一面に対向する接点部４ａ，５ａと前記反対面に対向する枢支部４ｂ，５ｂとを持つコンタクト４，５と、前記コンタクト４，５を予め定められた方向Ａ，Ｂに挿入し保持するハウジング３と、前記ケーブル２を前記ハウジング３に受入れる開位置及び前記ハウジング３に受入れた前記ケーブル２を前記接点部４ａ，５ａ方向に押圧する閉位置間で回転可能なアクチュエータ６とを有する。
【００４０】
そして、前記コンタクト４，５は、第１及び第２接点部４ａ，５ａと第１及び第２枢支部４ｂ，５ｂとを持ち相反する第１及び第２方向Ａ，Ｂからハウジング３に挿入し保持する第１及び第２コンタクト４，５から成り、前記第１及び第２コンタクト４，５の第１及び第２接点部４ａ，５ａはいずれも、前記アクチュエータ６を閉位置方向に回転させるモーメントを該アクチュエータ６に付与するように、該アクチュエータ６の回転軸芯Ｏの一側に片寄せて配置する。これによれば、アクチュエータ６にはこれを閉位置方向に回転させるモーメントのみが付与されるので、従来のケーブル用コネクタに比べてアクチュエータ６をより大きいモーメントで閉保持できる。しかも、第１及び第２接点部４ａ，５ａによる接触圧は大きくしなくてもそのままで、従来のケーブル用コネクタに比べてアクチュエータ６をより大きいモーメントで閉保持できる。このため、アクチュエータ６を開閉する回転式のケーブル用コネクタ１において、コンタクト４，５の接点部４ａ，５ａの接触圧を必要以上に大きくすることなく、アクチュエータ６の閉位置での保持力を十分に確保し、ケーブル接続時のアクチュエータ６の不用意な開きを防止することができる。
【００４１】
また、前記アクチュエータ６が開位置にある時には、前記ハウジング３に挿入された前記ケーブル２は、前記第１コンタクト４の前記第１接点部４ａで前記第１枢支部４ｂに押圧されて仮保持されると共に、前記第２コンタクト５の前記第２接点部５ａで前記ハウジング３の仮保持部３ｈに押圧されて仮保持される。このように、第１及び第２接点部４ａ，４ｂはいずれも、アクチュエータ６との間ではケーブル２の仮保持を行わないことで、従来のケーブル用コネクタに比べてアクチュエータ６の開閉操作力を小さくでき、操作性の向上を図ることができる。
【００４２】
また、前記第１コンタクト４と前記第２コンタクト５は、前記ハウジング３の長手方向に向けて交互に所定ピッチで配置すると共に、前記第１接点部４ａと前記第２接点部５ａは、前記ハウジング３の入口側と奥側の前後２列の千鳥状に配置されて、入口側の前記第１接点部４ａの高さが奥部側の前記第２接点部５ａの高さより低く設定されており、入口側の前記第１接点部４ａは、前記ケーブル挿入時に前記第１枢支部４ｂに押圧可能な高さに設定されており、奥部側の前記第２接点部５ａは、前記ケーブル挿入時に前記ハウジング３の仮保持部３ｈに押圧可能な高さに設定される。このように、第１及び第２接点部４ａ，５ａはいずれも、アクチュエータ６との間ではケーブル２の仮保持機能を行わないことで、従来のケーブル用コネクタに比べてアクチュエータ６の開閉操作力を小さくでき、操作性の向上を図ることができる。また、奥部側の前記第２接点部５ａとハウジング３の仮保持部３ｈとの間にケーブル２の末端を挿入する前に、入口側の前記第１接点部４ａと第１枢支部４ｂでケーブル２の末端近傍を仮保持することで、奥部側の前記第２接点部５ａとハウジング３の仮保持部３ｈとの間にケーブル２の末端を適正に挿入できる。
【００４３】
また、前記アクチュエータ６の両端面先端部には係合突起６ｂが形成されると共に、前記ハウジング３には、前記アクチュエータ６が閉位置に回動した時に前記係合突起６ｂを係合させる係合溝３ｅが形成される。このように、アクチュエータ６の閉位置でのロック手段を設けることで、従来のケーブル用コネクタに比べてアクチュエータ６を確実に閉保持できる。
【００４４】
さらに、前記コンタクト４，５は、第１及び第２接点部４ａ，５ａと第１及び第２枢支部４ｂ，５ｂとを持ち相反する第１及び第２方向Ａ，Ｂからハウジング３に挿入し保持する第１及び第２コンタクト４，５から成り、前記第１枢支部４ｂは、前記ケーブル２と反対側となる上方に開いた凹部４ｇを有し先端に鉤形のフック部分４ｈを持ち、前記アクチュエータ６には、前記フック部分４ｈが下方から嵌り込む鉤形の第１溝部６ｃと、その鉤形の第１溝部６ｃの端部が閉じられた縦溝部分に隣接して前記凹部４ｇに上方から嵌り込む第１カム部６ｄとが形成されており、前記第２枢支部５ｂは、前記アクチュエータ６の回転軸芯Ｏ方向から見て前記凹部４ｇの開口部を閉じるように先端に直線部分５ｇを持ち、前記アクチュエータ６には、前記直線部分５ｇが嵌り込む鉤形の第２溝部６ｇと、その鉤形の第２溝部６ｇの貫通穴である縦溝部分に隣接して形成され前記直線部分５ｇと前記ケーブル２との間に位置する第２カム部６ｈとが形成されており、第１及び第２カム部６ｄ，６ｈを形成するアクチュエータ６の基端部を第１及び第２コンタクト４，５の第１及び第２枢支部４ｂ，５ｂによって回動可能に包囲・挟持する。このように、第１及び第２カム部６ｄ，６ｈを形成するアクチュエータ６の基端部を第１及び第２コンタクト４，５の第１及び第２枢支部４ｂ，５ｂによって回動可能に包囲・挟持する。換言すれば、アクチュエータ６の基端部をコンタクト４，５の枢支部４ｂ，５ｂによって回転可能に嵌合支持する。このため、接触信頼性が確保できなくなることやコストアップを招く等の他の問題を発生することなく、アクチュエータ６が外れ易いという従来のケーブル用コネクタの欠点を解消することができる。また、コネクタ１の組立ては、先ず、第１コンタクト４を第１の方向Ａからハウジング３に挿入し保持した後、第１枢支部４ｂにアクチュエータ６の基端部を上方から被せる。これにより、第１枢支部４ｂの凹部４ｇにアクチュエータ６の第１カム部６ｄが嵌り込み、同時にアクチュエータ６の第１溝部６ｃに第１枢支部４ｂのフック部分４ｈが嵌り込む。次いで、第２コンタクト５を第２の方向Ｂからハウジング３に挿入し保持する。これにより、第２枢支部５ｂの直線部分５ｇがアクチュエータ６の第２溝部６ｇに嵌り込み、第２カム部６ｈの上側に位置する。以上でアクチュエータ６の基端部をコンタクト４，５の枢支部４ｂ，５ｂによって回転可能に嵌合支持するコネクタ１の組立てが完了する。このように、コネクタ１の組立て、特に、アクチュエータ６の取付けが困難にならない。さらに、従来のケーブル用コネクタでは、コンタクトの枢支部をコネクタの使用時（ケーブル接続時）以上に組立時に弾性変位させてしまい、コンタクトを破損したり枢支部の弾性を低下させ、ケーブルと接点部との接触圧を適正に得られない不良品を発生させる虞があったが、上記構成によりコネクタ組立時にコンタクト４，５の枢支部４ｂ，５ｂに弾性変位を伴わないため、コンタクト４，５の破損や枢支部４ｂ，５ｂの弾性低下による不良品を発生を防止できる。而して、アクチュエータ６を開閉する回転式のケーブル用コネクタ１において、アクチュエータ６の基端部をコンタクト４，５の枢支部４ｂ，５ｂによって回転可能に嵌合支持することができ、接触信頼性が確保できなくなることやコストアップを招く等の他の問題を発生することなく、アクチュエータ６が外れ易いという従来のケーブル用コネクタの欠点を解消でき、またその際に、コネクタ１の組立て、特に、アクチュエータ６の取付けが困難にならない。
【００４５】
ところで、本実施の形態で示したケーブル用コネクタ１においては、アクチュエータ（操作子）６は、枢支部とケーブルとの間に位置するカム部６ｈと、このカム部６ｈに隣接して貫通形成された穴６ｇとを有するが、前記枢支部５ｂは凹部を有していないし、カム部６ｈと係合もしていない。
【００４６】
また、アクチュエータ（操作子）６は、開位置とハウジング（インシュレータ）３に挿入されたケーブルをコンタクトに圧接させた状態に保持する閉位置との間で回動可能でああるが、開位置では前記ハウジング（インシュレータ）３に挿入されたケーブルをコンタクトと協働して仮保持しない。
【００４７】
また、複数個のコンタクト４，５を備えるが、その接触部４ａ，５ａはアクチュエータ（操作子）６の枢支軸６ａ（回転軸芯Ｏ）の両側には配置していない。
【００４８】
また、枢支部は、先端にフック部分４ｈを有するものの、アクチュエータ６には、先端にフック部分４ｈを有する枢支部が挿入される貫通穴は形成されていない。
【００４９】
千鳥状に配列されたコンタクトのうちハウジング（インシュレータ）３のケーブル入口側に配列された入口側コンタクト４の高さが奥部側コンタクト５の高さより低く設定され、奥部側コンタクトは、ケーブルの挿入時にハウジングと協働してケーブルを保持するものの、入口側コンタクトの高さは、ケーブル挿入時に該ケーブルに非接触状態の高さに設定されていない。
【００５０】
千鳥状に配列されたコンタクトのうちハウジング（インシュレータ）３のケーブル入口側に配列された入口側コンタクト４の高さが奥部側コンタクト５の高さより低く設定されるものの、前記入口側コンタクト４と前記奥部側コンタクト５のピッチ方向において隔絶する前記ハウジングの分離壁３ｉ（図２，図４〜図７参照）には段差は設けていない。
【図面の簡単な説明】
【００５１】
【図１】本発明の実施の形態に係るケーブル用コネクタの外観斜視図で、アクチュエータを閉じた状態を示す図である。
【図２】図１のコネクタのハウジングの外観斜視図である。
【図３】図１のコネクタのアクチュエータの外観斜視図である。
【図４】図１のコネクタの第１コンタクト部の断面図で、アクチュエータを開いた状態を示す図である。
【図５】図４のアクチュエータを閉じた状態を示す図である。
【図６】図１のコネクタの第２コンタクト部の断面図で、アクチュエータを開いた状態を示す図である。
【図７】図６のアクチュエータを閉じた状態を示す図である。
【図８】図１のコネクタのアクチュエータの基端部の嵌合支持説明図で、アクチュエータを開いた状態を示す図である。
【図９】図８のアクチュエータを開いた状態を示す図である。
【符号の説明】
【００５２】
１  ケーブル用コネクタ
２  ケーブル（ＦＰＣ／ＦＦＣ）
３  ハウジング（インシュレータ）
３ａ  ケーブル受入部
３ｂ  上方開口部
３ｃ  軸受部
３ｄ  ロック片
３ｅ  係合溝
３ｆ  第１の穴
３ｇ  第２の穴
３ｈ  仮保持部
４  第１コンタクト
４ａ  第１接点部
４ｂ  第１枢支部
４ｃ  基部
４ｄ  下部分肢
４ｅ  上部分肢
４ｆ  接点アーム
４ｇ  凹部
４ｈ  フック部分
４ｉ  上ストッパー
４ｊ  下ストッパー（半田付け部）
５  第２コンタクト
５ａ  第２接点部
５ｂ  第２枢支部
５ｃ  基部
５ｄ  下部分肢
５ｅ  上部分肢
５ｆ  接点アーム
５ｇ  直線部分
５ｈ  半田付け部
６  アクチュエータ（操作子）
６ａ  枢支軸
６ｂ  係合突起
６ｃ  第１溝部
６ｄ  第１カム部
６ｅ  スタンド用カム面
６ｆ  回転案内用カム面
６ｇ  第２溝部
６ｈ  第２カム部
６ｉ  スタンド用第２カム面
６ｊ  閉保持用カム面
６ｋ  アイドルカム面
６ｍ  窪み部
６ｎ  ケーブル押圧部
７  補強板
８  軸受穴
【図１】
2006147157.tif 000003
【図２】
2006147157.tif 000004
【図３】
2006147157.tif 000005
【図４】
2006147157.tif 000006
【図５】
2006147157.tif 000007
【図６】
2006147157.tif 000008
【図７】
2006147157.tif 000009
【図８】
2006147157.tif 000010
【図９】
2006147157.tif 000011